(57)【要約】【課題】  簡易に発光体の光に影響されずに良好なホワイトバランスを行なうことができる撮像装置及びそのプログラムを実現する。【解決手段】  ＣＣＤ５により撮像された画像データに基づいて、色温度を算出し（Ｓ１）、該画像データの輝度成分に基づいて適正露出量の算出を行う（Ｓ２）。そして、露出補正を行なう必要があるか否かを判断し（Ｓ３）、露出補正を行なう必要があると判断した場合は、露出補正量を算出する（Ｓ４）。そして、該算出した色温度となるように各ＬＥＤ１８の発光させる光量の割合をそれぞれ設定し（Ｓ５）、該設定した各ＬＥＤ１８の発光させる光量の割合、該算出された露出補正量に基づいて各ＬＥＤ１８を発光させる（Ｓ６）。そして、該算出した色温度に基づいて撮像された画像データに対してホワイトバランス処理を行う（Ｓ７）。【選択図】  図２
2007300541.tif 000002
【特許請求の範囲】
【請求項１】
被写体を撮像し、画像データを出力する撮像手段と、
異なる色成分の光をそれぞれ発光する複数の発光体を有する発光手段と、
被写体を照射している光源の色特性を特定する特定手段と、
前記発光手段により発光される光の色特性が前記特定手段により特定された色特性となるように前記発光手段による発光を制御する第１の発光制御手段と、
前記特定手段により特定された色特性に基づいて前記撮像手段から出力された画像データに対してホワイトバランスの調整を行なうホワイトバランス制御手段と、
を備えたことを特徴とする撮像装置。
【請求項２】
ユーザによって撮影の指示が行われたか否かを判断する判断手段と、
前記判断手段により撮影の指示が行われたと判断された場合は、前記ホワイトバランス制御手段によりホワイトバランスの調整が行なわれた画像データを記録手段に記録させる撮影制御手段と、
を備えたことを特徴とする請求項１記載の撮像装置。
【請求項３】
前記ホワイトバランス制御手段によりホワイトバランスの調整を行なうか否かを予め任意に設定する第１の設定手段を備え、
前記撮影制御手段は、
前記第１の設定手段によりホワイトバランスの調整を行なうと設定されている場合は、前記ホワイトバランス制御手段によるホワイトバランス調整が行なわれた画像データを前記記録手段に記録し、前記第１の設定手段によりホワイトバランスの調整を行なわないと設定されている場合は、前記ホワイトバランス制御手段によるホワイトバランスの調整を禁止して、ホワイトバランスの調整が行なわれていない画像データを前記記録手段に記録することを特徴とする請求項２記載の撮像装置。
【請求項４】
前記ホワイトバランス制御手段は、
前記特定手段により特定された色特性の光源下で撮像された画像データの色合いが、自然光下で撮像された画像データの色合いに近くなるように前記撮像手段から出力された画像データの色合いを調整することを特徴とする請求項１乃至３の何れかに記載の撮像装置。
【請求項５】
前記発光手段により発光される光の色特性が予め決められた色特性となるように前記発光手段による発光を制御する第２の発光制御手段と、
第１の発光モードと第２の発光モードとを含む複数の発光モードの何れかを予め任意の設定する第２の設定手段と、
前記第２の設定手段により前記第１の発光モードが設定されている場合は、前記第１の発光制御手段による発光制御を行い、前記第２の設定手段により前記第２の発光モードが設定されている場合には、前記第２の発光制御手段による発光制御を行なうように制御する制御手段と、
を備えたことを特徴とする請求項１乃至４の何れかに記載の撮像装置。
【請求項６】
前記第２の発光制御手段は、
前記発光手段により発光される光の色特性が自然光の色特性に近くなるように前記発光手段による発光を制御することを特徴とする請求項５記載の撮像装置。
【請求項７】
前記発光手段により発光される光の色特性が前記特定手段により特定された色特性と補色関係にある色特性となるように前記発光手段による発光を制御する第３の発光制御手段を備え、
前記制御手段は、
前記第２の設定手段により第３のモードが設定されている場合は、前記第３の発光制御手段による発光制御を行なうことを特徴とする請求項５記載の撮像装置。
【請求項８】
前記特定手段は、
前記撮像手段により出力された画像データに基づいて光源の色温度、又は、色度座標、又は、色分布特性を色特性として特定することを特徴とする請求項１乃至７の何れかに記載の撮像装置。
【請求項９】
前記発光手段は、
赤成分の光を発光する発光体、及び、緑成分の光を発光する発光体、及び、青成分の光を発光する発光体を有することを特徴とする請求項１乃至８の何れかに記載の撮像装置。
【請求項１０】
前記発光体は、
ＬＥＤであることを特徴とする請求項１乃至９の何れかに記載の撮像装置。
【請求項１１】
前記第１乃至第３の発光制御手段は、
各色成分に対応する前記発光体の電流値を調整して前記発光手段による発光を制御することを特徴とする請求項１乃至１０の何れかに記載の撮像装置。
【請求項１２】
前記第１乃至第３の発光手段は、
各色成分に対応する前記発光体の点灯個数を調整して前記発光手段による発光を制御することを特徴とする請求項１乃至１０の何れかに記載の撮像装置。
【請求項１３】
ユーザが光源の色特性を指定するための指定手段を備え、
前記特定手段は、
前記指定手段により指定された色特性を、光源の色特性として特定することを特徴とする請求項１乃至１２の何れかに記載の撮像装置。
【請求項１４】
被写体を撮像し、画像データを出力する撮像手段と、
異なる色成分の光をそれぞれ発光する複数の発光体を有する発光手段と、
を備えた撮像装置を実行させるためのプログラムであって、
被写体を照射している光源の色特性を特定する特定処理と、
前記発光手段により発光される光の色特性が前記特定処理により特定された色特性となるように前記発光手段による発光を制御する第１の発光制御処理と、
前記特定処理により特定された色特性に基づいて前記撮像手段から出力された画像データに対してホワイトバランスの調整を行なうホワイトバランス制御処理と、
を含むことを特徴とするプログラム。
【発明の詳細な説明】
【技術分野】
【０００１】
本発明は、撮像装置及びそのプログラムに係り、詳しくは、ホワイトバランス機能を備えた撮像装置及びそのプログラムに関する。
【背景技術】
【０００２】
従来、撮影シーンが暗い場合において、静止画撮影を行なうときはストロボを発光させ、動画撮影を行なうときにはムービーライトを発光させて、適正な明るさを得ていたが、被写体を照射している外部光の色温度に基づいてホワイトバランス処理を行う場合には、ストロボやムービーライトの光によって色温度が影響され適切なホワイトバランスを行なうことができなかった。
このような問題を解消するため、ストロボにより閃光される光の色特性は閃光開始以後、時間の経過とともに変化するという点に着目し、外部光の色特性と同じとなるように、露光開始時間と露光終了時間（蓄積期間）を調整することにより所望の色の被写体画像を得るという技術が登場した（特許文献１）
【０００３】
【特許文献１】公開特許公報  特開２００３−２９９１０８
【発明の開示】
【発明が解決しようとする課題】
【０００４】
しかしながら、上記特許文献１によれば、所望の色特性を得ようとすれば、蓄積期間に制約がかかり適切な露光を行なうことができないという問題がある。また、感度を変えることにより露光不足などをカバーして所望の色特性を得ることはできるが処理が複雑であるという問題がある。
また、ストロボのような閃光の場合には適用できるが、動画撮影時におけるムービーライトのような発光の場合には適用することができない。
【０００５】
そこで本発明は、かかる従来の問題点に鑑みてなされたものであり、簡易に発光体の光に影響されずに良好なホワイトバランスを行なうことができる撮像装置及びそのプログラムを提供することを目的とする。
【課題を解決するための手段】
【０００６】
上記目的達成のため、請求項１記載の発明による撮像装置は、被写体を撮像し、画像データを出力する撮像手段と、
異なる色成分の光をそれぞれ発光する複数の発光体を有する発光手段と、
被写体を照射している光源の色特性を特定する特定手段と、
前記発光手段により発光される光の色特性が前記特定手段により特定された色特性となるように前記発光手段による発光を制御する第１の発光制御手段と、
前記特定手段により特定された色特性に基づいて前記撮像手段から出力された画像データに対してホワイトバランスの調整を行なうホワイトバランス制御手段と、
を備えたことを特徴とする。
【０００７】
また、例えば、請求項２に記載されているように、ユーザによって撮影の指示が行われたか否かを判断する判断手段と、
前記判断手段により撮影の指示が行われたと判断された場合は、前記ホワイトバランス制御手段によりホワイトバランスの調整が行なわれた画像データを記録手段に記録させる撮影制御手段と、
を備えるようにしてもよい。
【０００８】
また、例えば、請求項３に記載されているように、前記ホワイトバランス制御手段によりホワイトバランスの調整を行なうか否かを予め任意に設定する第１の設定手段を備え、
前記撮影制御手段は、
前記第１の設定手段によりホワイトバランスの調整を行なうと設定されている場合は、前記ホワイトバランス制御手段によるホワイトバランス調整が行なわれた画像データを前記記録手段に記録し、前記第１の設定手段によりホワイトバランスの調整を行なわないと設定されている場合は、前記ホワイトバランス制御手段によるホワイトバランスの調整を禁止して、ホワイトバランスの調整が行なわれていない画像データを前記記録手段に記録するようにしてもよい。
【０００９】
また、例えば、請求項４に記載されているように、前記ホワイトバランス制御手段は、
前記特定手段により特定された色特性の光源下で撮像された画像データの色合いが、自然光下で撮像された画像データの色合いに近くなるように前記撮像手段から出力された画像データの色合いを調整するようにしてもよい。
【００１０】
また、例えば、請求項５に記載されているように、前記発光手段により発光される光の色特性が予め決められた色特性となるように前記発光手段による発光を制御する第２の発光制御手段と、
第１の発光モードと第２の発光モードとを含む複数の発光モードの何れかを予め任意の設定する第２の設定手段と、
前記第２の設定手段により前記第１の発光モードが設定されている場合は、前記第１の発光制御手段による発光制御を行い、前記第２の設定手段により前記第２の発光モードが設定されている場合には、前記第２の発光制御手段による発光制御を行なうように制御する制御手段と、
を備えるようにしてもよい。
【００１１】
また、例えば、請求項６に記載されているように、前記第２の発光制御手段は、
前記発光手段により発光される光の色特性が自然光の色特性に近くなるように前記発光手段による発光を制御するようにしてもよい。
【００１２】
また、例えば、請求項７に記載されているように、前記発光手段により発光される光の色特性が前記特定手段により特定された色特性と補色関係にある色特性となるように前記発光手段による発光を制御する第３の発光制御手段を備え、
前記制御手段は、
前記第２の設定手段により第３のモードが設定されている場合は、前記第３の発光制御手段による発光制御を行なうようにしてもよい。
【００１３】
また、例えば、請求項８に記載されているように、前記特定手段は、
前記撮像手段により出力された画像データに基づいて光源の色温度、又は、色度座標、又は、色分布特性を色特性として特定するようにしてもよい。
【００１４】
また、例えば、請求項９に記載されているように、前記発光手段は、
赤成分の光を発光する発光体、及び、緑成分の光を発光する発光体、及び、青成分の光を発光する発光体を有するようにしてもよい。
【００１５】
また、例えば、請求項１０に記載されているように、前記発光体は、
ＬＥＤであるようにしてもよい。
【００１６】
また、例えば、請求項１１に記載されているように、前記第１乃至第３の発光制御手段は、
各色成分に対応する前記発光体の電流値を調整して前記発光手段による発光を制御するようにしてもよい。
【００１７】
また、例えば、請求項１２に記載されているように、前記第１乃至第３の発光手段は、
各色成分に対応する前記発光体の点灯個数を調整して前記発光手段による発光を制御するようにしてもよい。
【００１８】
また、例えば、請求項１３に記載されているように、ユーザが光源の色特性を指定するための指定手段を備え、
前記特定手段は、
前記指定手段により指定された色特性を、光源の色特性として特定するようにしてもよい。
【００１９】
上記目的達成のため、請求項１４記載の発明によるプログラムは、被写体を撮像し、画像データを出力する撮像手段と、
異なる色成分の光をそれぞれ発光する複数の発光体を有する発光手段と、
を備えた撮像装置を実行させるためのプログラムであって、
被写体を照射している光源の色特性を特定する特定処理と、
前記発光手段により発光される光の色特性が前記特定処理により特定された色特性となるように前記発光手段による発光を制御する第１の発光制御処理と、
前記特定処理により特定された色特性に基づいて前記撮像手段から出力された画像データに対してホワイトバランスの調整を行なうホワイトバランス制御処理と、
を含むことを特徴とする。
【発明の効果】
【００２０】
本願発明によれば、被写体を撮像し、画像データを出力する撮像手段と、異なる色成分の光をそれぞれ発光する複数の発光体を有する発光手段と、被写体を照射している光源の色特性を特定する特定手段と、前記発光手段により発光される光の色特性が前記特定手段により特定された色特性となるように前記発光手段に発光を制御する制御手段と、前記特定手段により特定された色特性に基づいて前記撮像手段から出力された画像データに対してホワイトバランスを行なうホワイトバランス制御手段と、を備えるようにしたので、ＬＥＤ１８を発光してもホワイトバランス処理に影響を与えることはなく、簡易に良好なホワイトバランスを行なうことができる。
【発明を実施するための最良の形態】
【００２１】
以下、本実施の形態について、本発明の撮像装置をデジタルカメラに適用した一例として図面を参照して詳細に説明する。
[第１の実施の形態]
Ａ．デジタルカメラの構成
図１は、本発明の撮像装置を実現するデジタルカメラ１の電気的な概略構成を示すブロック図である。
デジタルカメラ１は、撮影レンズ２、レンズ駆動ブロック３、絞り４、ＣＣＤ５、ドライバ６、ＴＧ（timing generator）７、ユニット回路８、ＷＢ処理部９、画像生成部１０、ＣＰＵ１１、キー入力部１２、メモリ１３、ＤＲＡＭ１４、フラッシュメモリ１５、画像表示部１６、ＬＥＤドライバ１７、ＬＥＤ１８（ＬＥＤ１８ｒ、ＬＥＤ１８ｇ、ＬＥＤ１８ｂ）、バス１９を備えている。
【００２２】
撮影レンズ２は、複数のレンズ群から構成されるフォーカスレンズ２ａ、ズームレンズ２ｂ等を含む。そして、撮影レンズ２にはレンズ駆動ブロック３が接続されている。レンズ駆動ブロック３は、フォーカスレンズ２ａ、ズームレンズ２ｂをそれぞれ光軸方向に駆動させるフォーカスモータ、ズームモータと、ＣＰＵ１１から送られてくる制御信号にしたがって、フォーカスモータ、ズームモータを駆動させるフォーカスモータドライバ、ズームモータドライバから構成されている（図示略）。
【００２３】
絞り４は、図示しない駆動回路を含み、駆動回路はＣＰＵ１１から送られてくる制御信号にしたがって絞りを動作させる。
絞りとは、撮影レンズ２から入ってくる光の量を制御する機構のことをいう。
【００２４】
ＣＣＤ５は、ドライバ６によって駆動され、一定周期毎に被写体像のＲＧＢ値の各色の光の強さを光電変換して撮像信号としてユニット回路８に出力する。このドライバ６、ユニット回路８の動作タイミングはＴＧ７を介してＣＰＵ１１により制御される。なお、ＣＣＤ５はベイヤー配列の色フィルターを有しており、電子シャッタとしての機能も有する。この電子シャッタのシャッタ速度は、ドライバ６、ＴＧ７を介してＣＰＵ１１によって制御される。
【００２５】
ユニット回路８には、ＴＧ７が接続されており、ＣＣＤ５から出力される撮像信号を相関二重サンプリングして保持するＣＤＳ（Correlated Double Sampling）回路、そのサンプリング後の撮像信号の自動利得調整を行なうＡＧＣ（Automatic Gain Control）回路、その自動利得調整後のアナログの撮像信号をデジタル信号に変換するＡ／Ｄ変換器から構成されており、ＣＣＤ５から出力された撮像信号（ＲＧＢ信号）はユニット回路８を経てデジタル信号としてＷＢ処理部９に送られる。
【００２６】
ＷＢ処理部９は、色温度を算出する機能、該色温度に基づいてホワイトバランスを行なう（各ＲＧＢのゲイン値を設定し、該設定された各ＲＧＢのゲイン値に従ってＲＧＢ信号を増幅させる）機能を有する。具体的には、ユニット回路８から送られてきたＲ、Ｇ、Ｂ信号に基づいて色温度を算出し、該算出した色温度に基づいて各ＲＧＢ信号のゲイン値を設定し、該設定したＲＧＢ値のゲイン値に沿ってＲＧＢ信号を増幅した後、増幅後の撮像信号を画像生成部１０に出力する。この色温度を算出する技術及びホワイトバランス処理の技術は周知なので説明を割愛する。
【００２７】
画像生成部１０は、ユニット回路８から送られてきた撮像信号（画像データ）に対してγ補正処理などの処理を施すとともに、輝度色差信号（ＹＵＶデータ）を生成し、該生成された輝度色差信号の画像データはＣＰＵ１１に送られる。つまり、画像生成部１０は、ＣＣＤ５から出力された画像データに対して画像処理を施す。
【００２８】
ＣＰＵ１１は、画像生成部１０から送られてきた画像データの圧縮・伸張（例えば、ＪＰＥＧ形式、ＭＰＥＧ形式の圧縮・伸張）処理、ＡＥ処理、撮像処理を行う機能を有するとともに、デジタルカメラ１の各部を制御するワンチップマイコンであり、時刻を計時するクロック回路を有する。
特に、ＣＰＵ１１は、露出補正量を算出する処理、ＷＢ処理部９により算出された色温度に基づいて各ＬＥＤ１８の発光量の割合を設定する処理、ＬＥＤ１８の発光を制御する機能を有する。
【００２９】
キー入力部１２は、シャッタボタン、モード切替キー、メニューキー、十字キー、ＳＥＴキー、ズームキー（「Ｔ」キー、「Ｗ」キー）等の複数の操作キーを含み、ユーザのキー操作に応じた操作信号をＣＰＵ１１に出力する。
メモリ１３には、ＣＰＵ１１が各部を制御するのに必要な制御プログラム（例えば、ＬＥＤ１８を発光させるのに必要な制御プログラム）、及び必要なデータが記録されており、ＣＰＵ１１は、該プログラムに従い動作する。
【００３０】
ＤＲＡＭ１４は、ＣＣＤ５によって撮像された後、ＣＰＵ１１に送られてきた画像データを一時記憶するバッファメモリとして使用されるとともに、ＣＰＵ１１のワーキングメモリとして使用される。
フラッシュメモリ１５は、圧縮された画像データを保存する記録媒体である。すなわち、フラッシュメモリ１５は、静止画撮影モード時に撮影され圧縮された静止画像データや動画撮影モード時に撮影され圧縮された動画データを保存記録する。
【００３１】
画像表示部１６は、カラーＬＣＤとその駆動回路を含み、撮影待機状態にあるときには、ＣＣＤ５によって撮像された被写体をスルー画像として表示し、記録画像の再生時には、フラッシュメモリ１５から読み出され、伸張された記録画像を表示させる。
【００３２】
ＬＥＤドライバ１７は、ＣＰＵ１１による制御信号に従って、赤色の光を発光するＬＥＤ１８ｒ、緑色の光を発光するＬＥＤ１８ｇ、青色の光を発光するＬＥＤ１８ｂの点灯、及び消灯を制御する。このＬＥＤ１８は、ムービーライトとしての機能を有する。
【００３３】
また、ＬＥＤドライバ１７は、ＬＥＤ１８ｒ、ＬＥＤ１８ｇ、ＬＥＤ１８ｂを点灯させる場合には、その発光量も調整（制御）する。つまり、各ＬＥＤ１８毎に発光させる光の量を制御する。このとき、各ＬＥＤ１８の発光量を調整する方法として、各ＬＥＤ１８の電流値を変えることにより、各ＬＥＤ１８の発光量を調整する。これにより、赤、緑、青の光の量をそれぞれ変えることができる。
また、この各ＬＥＤ１８は、ＬＥＤ１８により発光された光が被写体に当たるようなデジタルカメラ１の位置、つまり、撮影レンズ２が備えられている面と同じ面に備えられている。
【００３４】
Ｂ．デジタルカメラ１の動作
第１の実施の形態におけるデジタルカメラ１の動作を図２フローチャートに従って説明する。
【００３５】
スルー画像表示や動画撮影処理が行なわれると、ＣＰＵ１１は、ＷＢ処理部９に、撮像された画像データに基づいて色温度を算出させる（ステップＳ１）。この色温度の算出は、既に周知技術なので詳しくは説明しないが、ＲＧＢ信号から色度座標を求め、該求められた色度座標から色温度を算出する方法などがある。これにより、被写体を照射している外部光の色温度が分かる。この算出された色温度はＣＰＵ１１に送られる。
次いで、ＣＰＵ１１は、該撮像され、ＷＢ処理部９、画像生成部１０等を介して取得した画像データの輝度成分に基づいて、適正露出量ＥＶを算出する（ステップＳ２）。このとき、シャッタ速度、絞りなどを設定する。つまり、ＡＥ処理を行なう。
【００３６】
次いで、ＣＰＵ１１は、該算出した適正露出量を得るために露出補正を行なう必要があるか、つまり、ＬＥＤ１８を発光させる必要があるか否かを判断する（ステップＳ３）。この判断は、設定したシャッタ速度、絞りなどにより適正露出量を得ることができる場合には露出補正を行なう必要性がないと判断する。
ステップＳ３で、露出補正が必要であると判断すると、露出補正量の算出を行う（ステップＳ４）。この算出は、該算出した適正露出量から、設定されているシャッタ速度、絞りなどにより定められる露出量を減算することにより露出補正量を求める。この算出された露出補正量に応じて、各ＬＥＤ１８で発光される光の総合の光量が制御されることとなる。
【００３７】
次いで、ＣＰＵ１１は、該算出した色温度となるように各ＬＥＤ１８（ＬＥＤ１８ｒ、１８ｇ、１８ｂ）の発光させる光量の割合をそれぞれ設定する（ステップＳ５）。つまり、各ＬＥＤ１８で発光される光を総合した光の色温度が、ステップＳ１で算出した色温度となるように、各ＬＥＤ１８の発光させる光量の割合を設定する。ステップＳ１のＲＧＢ信号から色温度を求めるのと同様に、Ｒ（赤）、Ｇ（緑）、Ｂ（青）の光の強さ（光量）によって色温度が分かるので、必然に色温度を基にＲ、Ｇ、Ｂの光量の比率が求まることになる。
【００３８】
次いで、ＣＰＵ１１は、該算出された露出補正量及び設定された割合に基づいて各ＬＥＤ１８を発光させる（ステップＳ６）。つまり、該設定された割合で各ＬＥＤ１８を発光させるとともに、各ＬＥＤ１８で発光される光を総合した光の光量が、露出補正量に応じた発光量となるように、各ＬＥＤ１８の発光量を制御して発光させる。これにより、被写体を照射している外部光の色温度と同じ色温度の光を発光させることができ、ＬＥＤ１８の発光によってホワイトバランス処理が影響されることはない。
次いで、ＷＢ処理部９は、該算出した色温度に基づいて各ＲＧＢ信号のゲイン値を設定する、つまり、ホワイトバランス処理を行う。（ステップＳ７）。これにより、次に撮像されたフレームのＲＧＢ信号が該設定された各ゲイン値で増幅される。
【００３９】
Ｃ．以上のように、第１の実施の形態においては、ＣＣＤ５から得られた画像データに基づいて、被写体を照射している外部光の色温度を求め、該求めた色温度となるように発光させるＬＥＤ１８の各色の光の強さを調整するようにしたので、ＬＥＤ１８を発光してもホワイトバランス処理に影響を与えることはなく、簡易に良好なホワイトバランスを行なうことができる。
【００４０】
［第２の実施の形態］
次に、第２の実施の形態について説明する。
第１の実施の形態においては、外部光の色温度となるように各ＬＥＤ１８により発光させる光の光量を制御するようにしたが、第２の実施の形態においては、「外部光同調モード」、「自然光モード」、「任意光モード」、「補色モード」という複数の発光モードを設け、外部光同調モードが設定されている場合は外部光の色温度となるように各ＬＥＤ１８を発光させ、自然光モードが設定されている場合は自然光（白色光）の色温度となるように各ＬＥＤ１８を発光させ、任意光モードが設定されている場合はユーザによって選択された色温度となるように各ＬＥＤ１８を発光させ、補色モードが設定されている場合は外部光の色温度と補色関係にある色温度となるように各ＬＥＤ１８を発光させるというものである。
【００４１】
Ｄ.デジタルカメラ１の動作
第２の実施の形態も、図１に示したものと同様の構成を有するデジタルカメラ１を用いることにより本発明の撮像装置を実現する。
以下、第２の実施の形態のデジタルカメラ１の動作を図３及び図４のフローチャートにしたがって説明する。
【００４２】
スルー画像表示や動画撮影処理が行なわれると、ＣＰＵ１１は、ＷＢ処理部９に、撮像された画像データに基づいて色温度を算出させる（ステップＳ１１）。この算出された色温度はＣＰＵ１１に送られる。
次いで、ＣＰＵ１１は、該撮像され、ＷＢ処理部９、画像生成部１０等を介して取得した画像データの輝度成分に基づいて、適正露出量ＥＶを算出する（ステップＳ１２）。このとき、シャッタ速度、絞りなどを設定する。つまり、ＡＥ処理を行なう。
【００４３】
次いで、ＣＰＵ１１は、該算出した適正露出量を得るために露出補正を行なう必要があるか、つまり、ＬＥＤ１８を発光させる必要があるか否かを判断する（ステップＳ１３）。
ステップＳ１３で、露出補正が必要であると判断すると、露出補正量の算出を行う（ステップＳ１４）。
【００４４】
次いで、ＣＰＵ１１は、外部光同調モードが設定されているか否かを判断する（ステップＳ１５）。ここで、ユーザはムービーライト設定モードにおいて、「外部光同調モード」、「自然光モード」、「任意光モード」、「補色モード」のうち、ユーザは任意のモードを設定することができ、ＣＰＵ１１は、該ユーザの設定にしたがって判断する。また、任意光モードを設定した場合には、その色温度（該色温度を示す情報であってもよい）をユーザが設定することができる。
【００４５】
ステップＳ１５で、外部光同調モードであると判断すると、上記第１の実施の形態で説明したように、ＣＰＵ１１は、ステップＳ１１で算出した色温度となるように各ＬＥＤ１８（ＬＥＤ１８ｒ、１８ｇ、１８ｂ）の発光させる光の光量の割合をそれぞれ設定して（ステップＳ１６）、ステップＳ２２に進む。
【００４６】
一方、ステップＳ１５で、外部光同調モードでないと判断すると、図４のフローチャートのステップＳ１７に進み、ＣＰＵ１１は、自然光モードが設定されているか否かを判断する。
ステップＳ１７で、自然光モードが設定されていると判断すると、ＣＰＵ１１は、自然光（白色光）の色温度となるように、各ＬＥＤ１８の発光させる光の光量の割合をそれぞれ設定して（ステップＳ１８）、図３のステップＳ２２に進む。つまり、各ＬＥＤ１８で発光される光を総合した光の色温度が、自然光の色温度となるように、各ＬＥＤ１８の発光させる光量の割合を設定する。
【００４７】
一方、ステップＳ１７で、自然光モードが設定されていないと判断すると、ＣＰＵ１１は、任意光モードが設定されているか否かを判断する（ステップＳ１９）。
ステップＳ１９で、任意光モードが設定されていると判断すると、ＣＰＵ１１は、ユーザによって設定された色温度となるように、各ＬＥＤ１８の発光させる光の光量の割合をそれぞれ設定して（ステップＳ２０）、図３のステップＳ２２に進む。つまり、各ＬＥＤ１８で発光される光を総合した光の色温度が、ユーザによって設定された色温度となるように、各ＬＥＤ１８の発光させる光量の割合を設定する。
【００４８】
一方、ステップＳ１９で、任意光モードが設定されていないと判断すると、ＣＰＵ１１は、補色モードが設定されていると判断し、ステップＳ１１で算出した色温度と補色関係になるような色温度となるように、各ＬＥＤ１８の発光させる光の光量の割合をそれぞれ設定して（ステップＳ２１）、図３のステップＳ２２に進む。つまり、各ＬＥＤ１８で発光される光を総合した光の色温度が、ステップＳ１１で算出した色温度と補色関係になるような色温度となるように、各ＬＥＤ１８の発光させる光量の割合を設定する。
ここで、補色関係とは、外部光の光と発光部の光を混合して被写体に照射した場合に、自然光（白色光）を被写体に照射したのと同じになる関係であることをいう。
【００４９】
ステップＳ２２に進むと、ＣＰＵ１１は、ステップＳ１４で算出された露出補正量及び設定された割合に基づいて各ＬＥＤ１８を発光させる（ステップＳ６）。つまり、該設定された割合で各ＬＥＤ１８を発光させるとともに、各ＬＥＤ１８で発光される光を総合した光の光量が、露出補正量に応じた発光量となるように、各ＬＥＤ１８の発光量を制御して発光させる。これにより、外部光同調モードが設定されている場合は被写体を照射している外部光の色温度と同じ色温度の光を発光させることができ、自然光モードが設定されている場合は自然光の色温度と同じ色温度の光を発光させることができ、任意光モードが設定されている場合はユーザによって設定された色温度と同じ色温度の光を発光させることができ、補色モードが設定されている場合は外部光の色温度と補色関係にある色温度の光を発光させることができる。
【００５０】
次いで、ＣＰＵ１１は、ホワイトバランス処理を行うか否かの判断を行う（ステップＳ２３）。ここで、ユーザはメニューモードにおいてホワイトバランスの「有り」、「無し」を設定することができ、ＣＰＵ１１は該設定にしたがってホワイトバランス処理を行うか否かの判断を行う。
ステップＳ２３で、ホワイトバランス処理を行うと判断すると、ＷＢ処理部９は、ステップＳ１１で算出された色温度に基づいてホワイトバランス処理を行う。
【００５１】
なお、自然光モードでＬＥＤ１８が発光された場合や、補色モードでＬＥＤ１８が発光された場合はホワイトバランス処理を行わないようにしてもよいし、任意光モードでＬＥＤ１８が発光された場合は、ユーザに設定された色温度に基づいてホワイトバランス処理を行うようにしてもよい。
【００５２】
また、各ＬＥＤ１８で発光される光の総合の光量と、被写体を照射している光源の光の光量との割合に基づいて、ホワイトバランス処理を行ったり、行なわなかったりするようにしてもよい。例えば、自然光モードや補色モードでＬＥＤ１８が発光されている場合であって、各ＬＥＤ１８から発光される光の光量が被写体を照射している光源の発光量より少ない場合は、光源の色温度に基づいてホワイトバランスを行い、ＬＥＤ１８から発光されている光の総合の光量が被写体を照射している光源の発光量と同等又はそれ以上の場合はホワイトバランスを行なわないようにする。また、任意光モードでＬＥＤ１８が発光されている場合であって、各ＬＥＤ１８から発光される光の光量が被写体を照射している光源の発光量より少ない場合は、光源の色温度に基づいてホワイトバランスを行い、ＬＥＤ１８から発光されている光の総合の光量が被写体を照射している光源の発光量より多い場合にはユーザによって設定された色温度でホワイトバランスを行なうようにしてもよい。
【００５３】
また、ホワイトバランスの有無と、発光モードを連動させるようにしてもよい。例えば、ホワイトバランス有りが設定された場合は、発光モードを「外部光同調モード」に自動的に設定し、ホワイトバランス無しが設定された場合は、発光モードを「補色モード」又は「自然光モード」に自動的に設定するようにしてもよい。
【００５４】
Ｄ．以上のように、第２の実施の形態においては、ユーザがホワイトバランスを行なうか否かを設定、発光モードの設定を行ない、該設定に従ってＬＥＤ１８の発光及びホワイトバランス処理を制御するようにしたので、ユーザが得たい雰囲気を有する画像を得ることができる。例えば、夕日に照らされた被写体を撮影する場合において、夕日の雰囲気をより醸し出して赤みがかった画像を得たい場合には、ホワイトバランス処理を無しに、発光モードを「外部光同調モード」に設定することにより所望する画像を得ることができる。また、夕日の撮影だけど昼間の撮影のような明るく白い画像を得たい場合は、ホワイトバランス処理を有りに設定し、発光モードを「外部光同調モード」又は「自然光モード」に設定することにより得ることができる（自然光モードの場合にはホワイトバランス処理無しでもよい）。また、外部の雰囲気をより強調した画像を得たい場合には、ホワイトバランス処理を無しに設定し、発光モードを「任意光モード」に設定することによりユーザが所望する雰囲気の画像を得ることができる。
【００５５】
［変形例］
Ｄ．上記各実施の形態は以下のような変形例も可能である。
（１）上記各実施の形態においては、ＬＥＤ１８ｒ、ＬＥＤ１８ｇ、ＬＥＤ１８ｂの各ＬＥＤ１８の電流値をそれぞれ変えることにより、ＬＥＤ１８により発光される光の色温度を調整するようにしたが、ＬＥＤ１８ｒ、ＬＥＤ１８ｇ、ＬＥＤ１８ｂを複数設け、各色成分のＬＥＤ１８の発光させる個数を調整することにより、ＬＥＤ１８により発光される光の色温度を調整するようにしてもよい。
【００５６】
（２）また、上記各実施の形態においては、発光体としてＬＥＤを用いて説明したが、ＬＥＤに限られず、他の発光体（キセノン管等）であってもよい。
（３）また、上記各実施の形態においては、画像データから色温度を算出するようにしたが、色温度に限らず、刺激値や色度座標や色分布特性を算出するようにし、該算出された色度座標や色分布特性となるように各ＬＥＤ１８の発光量を調整するようにしてもよい。要は外部光の色特性が分かるものであればなんでもよい。
【００５７】
（４）また、上記各実施の形態においては、ＣＣＤ４は、ＲＧＢのフィルターを有するようにしたが、他のフィルター（例えば、ＣＹＭのフィルター）を有するようにしてもよい。
（５）また、上記各実施の形態においては、動画撮影処理、スルー画像表示においてムービーライトを発光する場合について説明したが、静止画撮影時におけるストロボ発光においても本発明を適用してもよい。
【００５８】
（６）また、上記第２の実施の形態においては、更にＬＥＤ１８を発光させるか否かをユーザが設定することができ、ユーザがＬＥＤ１８を発光させると設定した場合のみＬＥＤ１８を発光させるようにしてもよい。この場合ＬＥＤ１８を発光させないと判断した場合には、ユニット回路８のＡＧＣのゲイン等を調整することにより明るさを補正する。これにより、ＬＥＤ１８を発光させることにより暗い被写体をノイズが少ない状態で撮影することができ、また、ＬＥＤ１８を発光させずにゲイン調整により明るさを補正することにより消費電力を抑えることができる。
【００５９】
（７）また、上記各実施の形態におけるデジタルカメラ１は、上記の実施の形態に限定されるものではなく、カメラ付き携帯電話、カメラ付きＰＤＡ、カメラ付きパソコン、カメラ付きＩＣレコーダ、又はデジタルビデオカメラ等でもよく、要は、被写体に対して光を発光して撮像する機能を有する機器であればなんでもよい。
【図面の簡単な説明】
【００６０】
【図１】本発明の実施の形態のデジタルカメラのブロック図である。
【図２】第１の実施の形態のデジタルカメラ１の動作を示すフローチャートである。
【図３】第２の実施の形態のデジタルカメラ１の動作を示すフローチャートである。
【図４】第２の実施の形態のデジタルカメラ１の動作を示すフローチャートである。
【符号の説明】
【００６１】
１      デジタルカメラ
２      撮影レンズ
３      レンズ駆動ブロック
４      絞り
５      ＣＣＤ
６      ドライバ
７      ＴＧ
８      ユニット回路
９      ＷＢ処理部
１０    画像生成部
１１    ＣＰＵ
１２    キー入力部
１３    メモリ
１４    ＤＲＡＭ
１５    フラッシュメモリ
１６    画像表示部
１７    ＬＥＤドライバ
１８    ＬＥＤ
１９    バス
【図１】
2007300541.tif 000003
【図２】
2007300541.tif 000004
【図３】
2007300541.tif 000005
【図４】
2007300541.tif 000006